(57)【要約】【課題】撮像素子に写し込まれている被写体像をスルー表示する表示装置の一部に、過去に撮影して記憶装置に既に記憶されている撮影済み画像を表示させる際に、極めて迅速に所望の撮影済み画像を表示できるようにする。【解決手段】記憶媒体１５には撮影された多数の静止画像と動画像とが記憶されており、撮影モードでＣＣＤ３に写し込まれている被写体像を表示装置２３にスルー表示させている時に、表示装置２３の一部に記憶媒体１５に記憶された静止画像もしくは動画像を再生表示させ、新たな撮影時の参考とすることが出来る。この再生表示は、撮影モードが静止画撮影に設定されているか或いは動画撮影に設定されているかによって静止画もしくは動画が再生表示されるようになっているので、迅速に所望する再生画像が得られる。【選択図】    図１
2006270167.tif 000002
【特許請求の範囲】
【請求項１】
被写体像が写し込まれる撮像素子と、静止画像撮影モード及び動画像撮影モードの何れか一方の撮影モードを選択するモード選択手段と、前記撮像素子に写し込まれた被写体像を前記モード選択手段によって選択された撮影モードで撮影し静止画像情報もしくは動画像情報を得る撮影手段と、この撮影手段によって撮影された静止画像情報及び動画像情報を複数記憶する画像情報記憶手段と、この画像情報記憶手段に記憶された前記画像情報を前記撮像素子に写し込まれている被写体像と共に表示する表示手段とを備えた撮像装置において、
前記モード選択手段によって静止画像撮影モード及び動画像撮影モードの何れが選択されているかを判別するモード判別手段と、このモード判別手段によって静止画像撮影モードが選択されていることが判別された際には前記画像情報記憶手段に記憶された画像情報のうち静止画像情報を前記表示手段に表示させ前記モード判別手段によって動画像撮影モードが選択されていることが判別された際には前記画像情報記憶手段に記憶された画像情報のうち動画像情報を前記表示手段に表示させる表示制御手段とを備えたことを特徴とする撮像装置。
【請求項２】
前記表示制御手段は、更に、前記画像情報記憶手段に記憶された画像情報と前記撮像素子に写し込まれている被写体像とを合成して表示させる合成表示制御手段を備えることを特徴とする請求項１に記載の撮像装置。
【請求項３】
前記撮影手段によって撮影された前記静止画像情報及び動画像情報はそれぞれファイル化されて前記画像情報記憶手段に記憶されることを特徴とする請求項１もしくは２に記載の撮像装置。
【請求項４】
前記表示制御手段は、更に、前記表示手段に表示されている前記静止画像情報もしくは動画像情報を前記画像情報記憶手段に記憶されている他の静止画像情報もしくは動画像情報に切換表示する切換表示手段を備えていることを特徴とする請求項１乃至３の何れかに記載の撮像装置。
【請求項５】
前記表示制御手段は、更に、前記撮影手段による撮影時には前記表示手段に表示されている前記静止画像情報もしくは動画像情報の表示を停止する表示停止手段を備えていることを特徴とする請求項１乃至４の何れかに記載の撮像装置。
【請求項６】
前記撮影手段による撮影時の撮影条件は、前記表示手段に表示されている静止画像情報もしくは動画像情報の撮影条件と同じであることを特徴とする請求項１乃至５の何れかに記載の撮像装置。
【請求項７】
更に、前記表示手段に表示されている前記静止画像情報もしくは動画像情報の表示を停止させる表示停止釦を備えていることを特徴とする請求項１乃至６のいずれかに記載の撮像装置。
【請求項８】
更に、前記表示手段に表示されている前記静止画像情報もしくは動画像情報を前記画像記憶手段から消去する消去手段を備えていることを特徴とする請求項１乃至７のいずれかに記載の撮像装置。
【発明の詳細な説明】
【技術分野】
【０００１】
本発明は、撮像素子に写し込まれている被写体像を撮影する撮像装置に関する。
【背景技術】
【０００２】
従来、デジタルカメラやデジタルビデオカメラ等、撮像素子に写し込まれた被写体像を撮影する撮像装置にあっては、静止画像と動画像の両方を撮影記憶できるようにしたものが知られており、また、これらの撮像装置には小型の液晶モニタ表示装置等が備えられていて、この液晶モニタ表示装置に撮像素子に写し込まれている被写体像をリアルタイムでスルー表示させ、撮影者がこのスルー表示を見ながら撮影を開始できるようになっている。
【０００３】
このような撮像装置にあっては、過去に撮影して記憶装置に既に記憶されている撮影済み画像を液晶モニタ表示装置の一部に撮像素子に写し込まれている被写体像と同時に表示させることによって、次の撮影の手助けとなる様にすることも考えられている（特許文献１参照）。
【特許文献１】特開平８−３１７３２４号公報
【発明の開示】
【発明が解決しようとする課題】
【０００４】
しかしながら、最近では記憶装置の大容量化が進んでおり、記憶装置には撮影した多数の撮影画像が記憶できるようになってきている。その為、これから撮影しようとする撮影内容に参考となる撮影済み画像を、記憶装置に記憶された多数の撮影済み画像の中から選択して表示させるには選択操作が極めて面倒なものとなる。特に、静止画像と動画像の両方が撮影記録できる場合にあっては、静止画像を撮影しようとする時に動画像は不要で、逆に動画像を撮影する時には静止画像が不要であるにもかかわらず、これらの中から所望の撮影済み画像を選択しなければならないので、時間や手間がかかりシャッターチャンスを逃す等の欠点があった。
【０００５】
本発明は、過去に撮影して記憶装置に既に記憶されている撮影済み画像を表示装置の一部に撮像素子に写し込まれている被写体像と同時に表示させる際に、極めて迅速に所望の撮影済み画像を表示できるようにした撮像装置を提供することを目的とするものである。
【課題を解決するための手段】
【０００６】
上記課題を解決するために、本発明による請求項１に記載の撮像装置は、被写体像が写し込まれる撮像素子と、静止画像撮影モード及び動画像撮影モードの何れか一方の撮影モードを選択するモード選択手段と、前記撮像素子に写し込まれた被写体像を前記モード選択手段によって選択された撮影モードで撮影し静止画像情報もしくは動画像情報を得る撮影手段と、この撮影手段によって撮影された静止画像情報及び動画像情報を複数記憶する画像情報記憶手段と、この画像情報記憶手段に記憶された前記画像情報を前記撮像素子に写し込まれている被写体像と共に表示する表示手段とを備えた撮像装置において、前記モード選択手段によって静止画像撮影モード及び動画像撮影モードの何れが選択されているかを判別するモード判別手段と、このモード判別手段によって静止画像撮影モードが選択されていることが判別された際には前記画像情報記憶手段に記憶された画像情報のうち静止画像情報を前記表示手段に表示させ前記モード判別手段によって動画像撮影モードが選択されていることが判別された際には前記画像情報記憶手段に記憶された画像情報のうち動画像情報を前記表示手段に表示させる表示制御手段とを備えたことを特徴とする。
【０００７】
また、請求項２は、前記表示制御手段が、更に前記画像情報記憶手段に記憶された画像情報と前記撮像素子に写し込まれている被写体像とを合成して表示させる合成表示制御手段を備えることを特徴とする。
【０００８】
更に、請求項３は、前記撮影手段によって撮影された前記静止画像情報及び動画像情報はファイル化されて前記画像情報記憶手段に記憶されることを特徴とする。
【０００９】
更にまた、請求項４は、前記表示制御手段が、更に前記表示手段に表示されている前記静止画像情報もしくは動画像情報を前記画像情報記憶手段に記憶されている他の静止画像情報もしくは動画像情報に切換表示する切換表示手段を備えていることを特徴とする。
【００１０】
また、請求項５は、前記表示制御手段が、更に前記撮影手段による撮影時には前記表示手段に表示されている前記静止画像情報もしくは動画像情報の表示を停止する表示停止手段を備えていることを特徴とする。
【００１１】
更に、請求項６は、前記撮影手段による撮影時の撮影条件が、前記表示手段に表示されている静止画像情報もしくは動画像情報の撮影条件と同じであることを特徴とする。
【００１２】
また、請求項７は、更に、前記表示手段に表示されている前記静止画像情報もしくは動画像情報の表示を停止させる表示停止釦を備えていることを特徴とする。
【００１３】
更に、請求項８は、更に、前記表示手段に表示されている前記静止画像情報もしくは動画像情報を前記画像記憶手段から消去する消去手段を備えていることを特徴とする。
【発明の効果】
【００１４】
本発明によれば、撮影モードにおいて、静止画像撮影モード及び動画像撮影モードの何れのモードが選択されているかに応じて、表示手段に表示させる画像を静止画像にするか動画像にするかが決定されるようになっているので、不要な画像を表示させることが無く極めて迅速に所望の画像を表示させることが出来る効果を有する。
【発明を実施するための最良の形態】
【００１５】
以下に、図を用いて本発明を実施するための最良の形態について説明する。図１は、本発明を適用した撮像装置であるデジタルカメラの回路構成を示したものである。
【００１６】
図において、制御部１は図示しないＣＰＵ（Central Processing Unit）、ＲＯＭ（Read Only Memory）及び詳細を後述するＲＡＭ（Random Access Memory）５０等から構成される。この制御部１は、上記ＲＯＭに記憶されたプログラムに基づいて、デジタルカメラ１の全体動作の制御を実行し、バスライン２を介して各回路に制御信号を供給するものである。
【００１７】
撮像素子であるＣＣＤ（Charge Coupled Device）３は、制御部１からの制御信号によって動作を開始するＣＣＤ駆動回路４から供給される読出しパルスによって写し込まれた被写体像のアナログ画像信号が読み出され、読み出されたアナログ画像信号はＣＤＳ／増幅回路５に送られる。尚、図示していないが、ＣＣＤ３の前方には、撮影レンズ、絞り機構等の光学系が配置されており、この光学系が制御部１からの制御信号で移動して焦点合わせや光量制御が行われＣＣＤ３に外部被写体の像が写し込まれるものである。
【００１８】
ＣＤＳ／増幅回路５ではアナログ画像信号の相関二重サンプリングが行われて雑音が除去されるとともにゲイン調整が行われる。ゲイン調整された信号はＡ／Ｄ（Analog／Digital）変換回路６でデジタル画像情報に変換され、順次バッファ７に送られるとともに、ＤＭＡ（Direct Memory Access）転送回路８を介して記憶部制御回路９に送られる。
【００１９】
ＤＭＡ転送回路８は、内部に情報転送用のデータバス及び制御バスを含んでおり、制御部１からの制御信号によって動作するＤＭＡ制御部３０によってその転送チャンネルなどが制御されるものである。
【００２０】
上記記憶部制御回路９は、ＤＭＡ転送回路８からの指示信号を受けて記憶部１０への情報の書き込み及び読み出しを制御するものである。記憶部１０は、ＤＲＡＭ（Direct Random Access Memory）、ＳＤＲＡＭ（Synchronous DRAM）、ＥＰＲＯＭ（Erasable Programmable ROM）或いはフラッシュメモリ（Flash Memory）等の大容量の記憶素子などから構成され、ＤＭＡ転送回路８を介してＣＣＤ３から送られてくる画像情報を順次記憶し１フレームの画像情報を格納する格納領域１１が設けられている。
【００２１】
また、記憶部１０には、１フレームの画像情報を輝度（Ｙ）と色差（ＵＶ）の画像情報に変換して生成されたＹＵＶ画像情報を格納する格納領域１２、このＹＵＶ画像情報から解像度を変換して縮小された表示用の画像情報を１フレーム格納する格納領域１３、後述する記憶媒体１５から読み出され伸張された１フレーム分の表示用の画像情報を格納する格納領域１４がそれぞれ設けられている。
【００２２】
記憶部１０の格納領域１１に記憶されたＣＣＤ３からの１フレーム分の画像情報は、記録媒体制御回路９を介して直ちに読み出され、ＤＭＡ転送回路８及びバッファ１７を介してＹＵＶ変換回路１８に送られる。ＹＵＶ変換回路１８は、画像情報から輝度信号（Ｙ）と色差信号（ＵＶ）からなるＹＵＶ画像情報を生成する。生成されたＹＵＶ画像情報は、バッファ１９及びＤＭＡ転送回路８を介して記憶部制御回路９に送出され、記憶部１０の格納領域１２に記憶される。
【００２３】
この格納領域１２に記憶されたＹＵＶ画像情報は、記憶部制御回路９を介して読み出され、ＤＭＡ転送回路８及びバッファ２０を介して解像度変換回路２１に送られる。解像度変換回路２１は、ＹＵＶ画像情報を後述する表示装置２３の表示領域に合わせた解像度の画像信号に変換するもので、縮小された表示用の画像情報はバッファ２２及びＤＭＡ転送回路８を介して記憶部制御回路９に送出され、記憶部１０の格納領域１３に記憶される。この格納領域１３に記憶された表示用の画像情報は記憶部制御回路９及びＤＭＡ転送回路８を介して詳細を後述する表示制御部２８に送られ表示装置２３に表示される。
【００２４】
また、後述するシャッター釦Ｂ２が操作されて撮影画像を記憶させる場合には、上述した記憶部１０の格納領域１２に記憶されたＹＵＶ画像情報が、記憶制御回路９及びＤＭＡ転送回路８及びバッファ２４を介して圧縮伸張回路２５に送られる。圧縮伸張回路２５は、予め定められたデータ圧縮／伸張規格に基づいて圧縮画像情報の生成を行う。ここで、データ圧縮／伸張規格とは、例えば、静止画であればＪＰＥＧ規格形式の画像情報、動画であればモーションＪＰＥＧあるいはＭＰＥＧ規格形式等である。圧縮伸張回路２５にて変換された圧縮画像情報は、バッファ２６及びＤＭＡ転送回路８を介して媒体制御回路２７に送られ、記憶媒体１５に記憶される。
【００２５】
この記憶媒体１５は、このデジタルカメラ本体に着脱可能な不揮発性のメモリから構成され、例えば、ＥＰＲＯＭ（Erasable Programmable ROM）或いはフラッシュメモリ（Flash Memory）等の半導体メモリ、あるいは光磁気ディスクなどから構成されており、多数の静止画像情報あるいは動画像情報が記憶可能とされている。
【００２６】
この記憶媒体１５に記憶された静止画像情報あるいは動画像情報は、後述する撮影モードにおいては、記憶部１０の格納領域１１に記憶されたＣＣＤ３からの画像情報と共に表示装置２３で表示され、再生モードでは単独で表示装置２３に表示されるもので、即ち、記憶媒体１５に記憶された静止画あるいは動画の画像情報は、媒体制御回路２７及びＤＭＡ転送回路８を介して圧縮伸張回路２５に送られて伸張されて表示用の画像情報に戻され、更に解像度変換回路２１に送られて縮小された表示用画像情報に変換されＤＭＡ転送回路８及び記憶部制御回路９を介して記憶部１０の格納領域１４に記憶される。
【００２７】
この場合、撮影モードにおいては、表示装置２３に表示されるＣＣＤ３からの画像情報中に更に小さな画像として表示されるようになっているので、解像度変換回路２１ではその小さな画像に合わせた大きさの画像に変換し、再生モードでは表示装置２３の大きさで表示するので解像度変換回路２１では表示装置２３の大きさに合わせた画像に変換するものである。
【００２８】
そして、撮影モードでは、記憶部１０の格納領域１１に記憶されたＣＣＤ３からの画像情報と、格納領域１４に格納された画像情報とを記憶制御回路９及びＤＭＡ転送回路８を介して表示制御回路２８に送って合成し、表示装置２３で表示させ、再生モードでは格納領域１４に格納された画像情報を表示制御回路２８に送って表示装置２３で表示させるものである。
【００２９】
表示制御回路２８には、第１ＤＭＡインターフェイス制御回路３１及び第２ＤＭＡインターフェイス制御回路３２が設けられている。
【００３０】
そして、記憶部１０の格納領域１１に記憶されたＣＣＤ３からの画像情報は第１ＤＭＡインターフェイス制御回路３１に送られる。また、同じく記憶部１０の格納領域１４に記憶された記憶媒体１５からの画像情報は第２ＤＭＡインターフェイス制御回路３２に転送される。具体的には、第１及び第２ＤＭＡインターフェイス制御回路３１及び３２が、それぞれＤＭＡ要求信号及びＤＭＡ開始アドレス信号をＤＭＡ制御部３０に送信し、ＤＭＡ制御部３０の制御の下で記憶部制御回路９を介して記憶部１０の格納領域１１及び１４から画像情報を読み出し、この読み出された画像情報がＤＭＡ転送回路８を介してそれぞれ第１及び第２ＤＭＡインターフェイス制御回路３１及び３２にＤＭＡ転送されるものである。
【００３１】
第１ＤＭＡインターフェイス制御回路３１に送られて来た格納領域１１からの画像情報は、バッファ３３及び３４に交互に順次供給され、その後に合成回路３５に送られる。同じく第２ＤＭＡインターフェイス制御回路３２に送られて来た格納領域１４からの画像情報は、バッファ３６及び３７に交互に順次供給され、その後に合成回路３５に送られる。
【００３２】
即ち、第１ＤＭＡインターフェイス制御回路３１に送られて来た表示用の所定バイト毎の画像情報は交互に２つのバッファ３３及び３４に記憶され、一方のバッファ３３に記憶されたデータを合成回路３５に送っている間に、他方のバッファ３４に続く所定バイトの表示用の画像情報を記憶させ、この他方のバッファ３４に記憶された表示用の所定バイトの画像情報を合成回路３５に送っている間に、一方のバッファ３３に続く所定バイトの表示用の画像情報タを記憶させるといった動作を交互に行って１フレーム分の表示用の画像情報を切れ目無く合成回路３５に送って表示装置２３で表示させるものである。また、第２ＤＭＡインターフェイス制御回路３２に送られて来た表示用の画像情報も同様にして合成回路３５に送られるものである。
【００３３】
尚、表示用タイミング信号発生回路３８は表示制御回路２８内部の各部の表示タイミング信号を供給するもので、所定周期のクロック信号φを計数する水平カウンタ３９と、この水平カウンタ３９の出力を計数する垂直カウンタ４０と、これら水平カウンタ３９及び水平カウンタ４０の計数値が供給されて各部にタイミング信号を供給するデコーダ４１とから構成される。
【００３４】
入力部４２は、多数の操作釦から構成されており、操作釦の操作によって発生するスイッチ入力信号がバスライン２を介して制御部１に送られるものである。この入力部４２には、このデジタルカメラの動作モードを撮影モードと再生モードとに切り換えるモード切替釦Ｂ０、撮影モードにおいて静止画撮影及び動画撮影の何れを行うかを選択する静止画／動画選択釦Ｂ１、撮影モードにおいて撮影を実行し撮影された静止画及び動画を上述した記憶媒体１５に記憶させるシャッター釦Ｂ２、撮影モードにおいて既に記憶媒体１５に記憶されている撮影された静止画もしくは動画を表示装置２３に再生表示させる再生開始／停止釦Ｂ３、表示装置２３に再生表示されている静止画もしくは動画を他の静止画もしくは動画に切換表示する再生画像切換釦Ｂ４、再生表示されている静止画もしくは動画を上記記憶媒体１５から消去する消去釦Ｂ５などが備えられている。
【００３５】
時計回路部４３では、現在の年、月日、時分秒などの現在時刻情報が計時され、計時された現在時刻情報はバスライン２を介して制御部１に送られる。
【００３６】
図２は、制御部１内部に設けられたＲＡＭ５０の記憶領域を示しており、撮影モードでは「０」、再生モードでは「１」となるモード値Ｍを記憶するモード記憶領域５１、静止画の撮影モードでは「０」、動画の撮影モードでは「１」となる撮影種識別値Ｄを記憶する識別値記憶領域５２、記憶媒体１５に既に記憶されている撮影された静止画もしくは動画を表示装置２３に表示させる際に「１」、表示させない時に「０」となる再生識別値Ｇを記憶する再生識別値記憶領域５３及び動画像の撮影中に「１」、撮影中ではない時に「０」が記憶される動画撮影フラッグＴを記憶する記憶領域５６が設けられている。
【００３７】
ファイル名記憶領域５４には、記憶媒体１５に既に記憶されている画像ファイルのうち表示装置２３に再生表示させる再生ファイル名が記憶され、撮影条件データ記憶領域５５にはシャッタースピードや絞り値、ホワイトバランス補正値等の撮影条件データが記憶される。
【００３８】
図３は、記憶媒体１５に記憶される撮影された画像のファイル構成を示しており、各ファイルは、図３に示すようにヘッダ部６０と撮影された画像情報部６１とから構成されており、ヘッダ部６０には撮影日時データ記憶領域６０Ａ、ファイル名記憶領域６０Ｂ、撮影条件データ記憶領域６０Ｃ及びその他画像の大きさや解像度などのデータを記憶する記憶領域６０Ｄが設けられている。
【００３９】
次に、上記の如く構成されたデジタルカメラの動作について、図４のジェネラルフローチャート及び図５、図６の釦処理フローチャートを参照して説明する。
【００４０】
図４において、電源が投入されると各回路に電源供給がなされ、まずステップＳ１では表示装置２３で初期画面表示が行われ、所定時間、例えば２秒が経過するとステップＳ２に進んで図２のモード記憶領域５１のモード値Ｍを「０」に設定する。次に、ステップＳ３に進み入力部４２の何れかの操作釦が操作されたか否かが判断され、何れかの操作釦が操作されたことが判断された場合（Ｙｅｓの場合。以下、Ｙと略記する。）にはステップＳ４に進んで操作された釦に応じた釦入力処理がなされるが、いずれの釦も操作されていない場合（Ｎｏの場合。以下、Ｎと略記する。）にはステップＳ５に進む。
【００４１】
ステップＳ５では、モード値Ｍが「０」か否かが判断され、「０」の場合には撮影モードが設定されていると判断してステップＳ６に進む。「１」の場合にはステップＳ７に進んで再生モードにおける処理を実施する。
【００４２】
ステップＳ６では、図２の再生識別値Ｇが「０」に設定されているか否かが判断され、「０」に設定されている場合には、記憶媒体１５に既に記憶されている画像ファイルの表示を行うようには設定されていないと判断してステップＳ８に進み、記憶部１０の格納領域１１に記憶されているＣＣＤ２３からの画像情報をＤＭＡ転送回路８を介して表示制御部２８の第１ＤＭＡインターフェイス制御回路３１に送り表示装置２３にて表示させる。
【００４３】
この表示は、例えば表示装置２３の表示領域全体の大きさで行われるもので、これによって、ＣＣＤ３に写し込まれている被写体の画像情報がリアルタイムで表示装置２３にスルー表示（モニタ表示）されることになる。
【００４４】
一方、ステップＳ６で再生識別値Ｇが「０」でない場合（Ｇ＝「１」の場合）は、ステップＳ９に進み、格納領域１１に記憶されているＣＣＤ２３からの画像情報をＤＭＡ転送回路８を介して表示制御部２８の第１ＤＭＡインターフェイス制御回路３１に送ると共に、記憶媒体１５に既に記憶されている画像ファイルのうち図３のファイル名記憶領域５４に記憶されているファイル名の画像情報を読み出して記憶部１０の格納領域１４に記憶させ、この格納領域１４に記憶された画像情報をＤＭＡ転送回路８を介して表示制御部２８の第２ＤＭＡインターフェイス制御回路３２に送る。これによって第１ＤＭＡインターフェイス制御回路３１に送られたＣＣＤ２３からの画像情報と第２ＤＭＡインターフェイス制御回路３２に送られた記憶媒体１５に既に記憶されている画像情報とが表示制御回路２８で合成され表示装置２３で表示されるものである。
【００４５】
図７は、ステップＳ９による表示状態を示しており、表示装置２３の表示領域全体の大きさでＣＣＤ２３からの画像情報がスルー表示され、その中の一部の表示領域７０に、記憶媒体１５に既に記憶されている画像情報が再生表示されている例である。
【００４６】
尚、表示領域７０に表示されている記憶媒体１５から読み出された画像情報の再生表示は、後述する如くシャッター釦Ｂ２の操作や再生表示の停止釦が操作されない限り表示領域７０に継続表示されるもので、読み出された画像情報が静止画画像の場合には、その静止画画像が継続表示され、動画画像の場合には動画画像の最後の画像が表示された後最初の画像に戻って繰り返し再生表示がなされるものである。
【００４７】
図５及び図６は、図４のステップＳ４の釦入力処理の詳細なフローチャートである。入力部４２の何れかの操作釦の操作が検出された場合には、まずステップＳ１１でモード値Ｍが「０」か否かが判断される。モード値Ｍが「０」で無い場合には、再生モードでの釦入力と判断してステップＳ１２に進んで再生モードでの釦入力処理がなされるが、モード値Ｍが「０」の場合にはステップＳ１３に進む。
【００４８】
ステップＳ１３では、操作された釦がシャッター釦Ｂ２か否かが判断される。シャッター釦Ｂ２の操作であった場合にはステップＳ１４に進み撮影種識別値Ｄの値が「０」か否か、即ち静止画像の撮影モードに設定されているか或いは動画像の撮影モードに設定されているか否かが判断される。Ｄ＝「０」の静止画像の撮影モードに設定されていた場合にはステップS1５に進み、再生識別値Ｇの値を「０」に設定し、記憶媒体１５に記憶されている画像情報の再生表示を停止させる。次のステップＳ１６では、ＣＣＤ３に写し込まれている画像情報をファイル化して記憶媒体１５に記憶させる処理を行う。
【００４９】
即ち、ステップＳ１６は、予め設定された撮影条件となるように光学系などを制御すると共に、この撮影条件でＣＣＤ３に写し込まれた１フレーム分の被写体像をＣＣＤ３から読み出して一旦記憶部１０の格納領域１１に記憶させた後、ＹＵＶ変換回路１８でＹＵＶ変換を行って格納領域１２に記憶させ、続いて圧縮伸張回路２５で圧縮処理を行ない圧縮された画像情報をファイル化して記憶媒体１５に記憶させるものである。
【００５０】
この場合、ファイル名は例えば先頭を静止画像ファイルであることを示す「Ｓ」とし、それに続いて撮影した年日時の数値とするもので、ヘッダ部には撮影日時、ファイル名、撮影条件及びその他の情報を記憶させる。
【００５１】
次のステップＳ１７では、記憶させたファイルを記憶媒体１５から読み出し、圧縮伸張回路２５で伸張処理を行った後、解像度変換回路２１にて表示用の解像度の表示データに変換し、この表示データを記憶部１０の格納領域１４に記憶させ、これを表示制御部２８に送って表示装置２３で表示させるものである。この表示処理は所定時間、例えば２秒程度実行され、その後はステップＳ１７の処理を終了するものである。
【００５２】
このステップＳ１７の処理の間は、ＣＣＤ３からの読み出しは禁止されており、表示装置２３には、記憶媒体１５から読み出された撮影したばかりの静止画像情報が表示装置２３の表示領域の大きさで表示され、それによって撮影記憶した静止画像を確認できるものである。
【００５３】
ステップＳ１４でＧ＝「０」ではなく、撮影モードがＧ＝「１」の動画像の撮影モードに設定されていた場合にはステップＳ１８に進み、図２の記憶領域５６の動画撮影中フラッグＴが「０」か否かが判断される。Ｔ＝「０」であった場合には、動画の記憶動作がまだ行われていない状態でのシャッター釦Ｂ２の操作なので、記憶開始が指示されたものとしてステップＳ１９に進み再生識別値Ｇを「０」に設定すると共に、次のステップＳ２０で動画撮影中フラッグＴを「１」に設定し、更に次のステップＳ２１で動画撮影及び記憶媒体１５への記憶を開始させる。
【００５４】
このステップＳ２１での動画撮影は、予め設定された撮影条件となるように光学系などを制御すると共に、この撮影条件でＣＣＤ３に写し込まれた１フレーム毎の被写体像をＣＣＤ３から順次読み出して一旦記憶部１０の格納領域１１に記憶させた後、ＹＵＶ変換回路１８でＹＵＶ変換を行って格納領域１２にＹＵＶ画像情報を記憶させ、続いてＹＵＶ画像情報を圧縮伸張回路２５に送って圧縮処理を行ない、圧縮された画像情報を順次記憶媒体１５に記憶させるものである。
【００５５】
また同時に、上記ＹＵＶ画像情報を解像度変換回路２１に送って表示用のデータに変換し、これを表示制御回路２８に送って表示装置２３に表示させるものである。
【００５６】
上記ステップＳ１８で、動画撮影中フラッグＴが「０」でなく「１」であった場合には、既に動画撮影中であるとしてステップＳ２２に進み、動画撮影中フラッグＴを「０」に設定すると共に次のステップＳ２３で、動画撮影を停止させ、それまで記憶媒体１５に記憶させておいた圧縮画像情報をまとめて１つのファイルにファイル化して記憶する処理を行うものである。
【００５７】
この場合、ファイル名は、先頭を動画像のファイルであることを示す「Ｄ」とし、続けて撮影を停止した際の年日時とするものである。このようにして、記憶媒体１５には、シャッター釦Ｂ２の操作によって多数の静止画或いは動画がファイル化されて記憶される。
【００５８】
ステップＳ１３において、操作された釦がシャッター釦Ｂ２でなかった場合にはステップＳ２４に進み、操作された釦が静止画／動画選択釦Ｂ１であったか否かが判断される。静止画／動画選択釦Ｂ１の操作の場合はステップＳ２５に進み撮影種識別値Ｄの値を反転する。即ち、撮影種識別値Ｄの値が静止画撮影モードを示す「０」であった場合には動画撮影モードの「１」に反転させ、「１」で合った場合には「０」に反転させるものである。
【００５９】
ステップＳ２４で、静止画／動画選択釦Ｂ１の操作でなかった場合はステップＳ２６に進み、再生開始／停止釦Ｂ３の操作であったか否かが判断される。再生開始／停止釦Ｂ３は、前述した如くスルー表示画像中に既に記憶媒体１５に記憶済みの画像を合成して再生表示させる、或いは再生表示を停止させる為の釦であり、再生開始／停止釦Ｂ３の操作であったことが判断された場合にはステップＳ２７に進み、再生識別値Ｇが「０」か否かが判断される。再生識別値Ｇが「０」でなく「１」の場合には、既に再生表示がなされており、この再生表示を停止するために再生開始／停止釦Ｂ３が操作されたものとしてステップＳ２８で再生識別値Ｇの値を「０」に設定する。
【００６０】
ステップＳ２７で再生識別値Ｇが「０」であったことが判断された場合にはステップＳ２９に進み、撮影種識別値Ｄの値が静止画の撮影モードである「０」に設定されているか否かが判断される。撮影種識別値Ｄの値が静止画の撮影モードである「０」に場合にはステップＳ３０に進み、記憶媒体１５に記憶されている撮影済みの静止画像のファイル及び動画像のファイルのうち、ファイル名の先頭に「Ｓ」が付されている静止画像のファイルで最も直近に撮影記憶されたファイルのファイル名を図３のファイル名記憶領域５４に設定記憶させ、次のステップＳ３１で再生識別値Ｇを「１」に設定する。
【００６１】
一方、撮影種識別値Ｄの値が動画の撮影モードである「１」に設定されている場合にはステップＳ２９からステップＳ３２に進み、記憶媒体１５に記憶されている撮影済みの静止画像のファイル及び動画像のファイルのうち、ファイル名の先頭に「Ｄ」が付されている動画像のファイルで最も直近に撮影記憶されたファイルのファイル名を図３のファイル名記憶領域５４に設定記憶させ、ステップＳ３１で再生識別値Ｇを「１」に設定する。
【００６２】
このようにして、ファイル名記憶領域５４に記憶媒体１５に記憶されている撮影済みのファイルのファイル名が記憶され且つ再生識別値Ｇが「１」に設定されることにより、図４のジェネラルフローチャートでは、ステップＳ５で撮影モードが設定されていることが検出されてステップＳ６に進み、ステップＳ６で再生識別値Ｇが「０」でないことが判断されてステップＳ９に進むので、表示装置２３においては、図７に示したように、ＣＣＤ３に写し込まれている被写体像のスルー表示画面中にファイル名記憶領域５４に記憶されたファイル名の画像が合成されて表示されるものである。
【００６３】
この場合、スルー表示画面中に合成表示される撮影済みの画像は、これから撮影記憶させようとする際に参考となるように表示させるものであり、これから撮影記憶しようとしている画像が静止画であれば参考となる画像は同じような条件で撮影した静止画であり、動画を撮影記憶させようとしているのであれば参考になるのは同じような条件で撮影した動画である。
【００６４】
そこで、図５においては、ステップＳ２９において撮影モードが静止画の撮影モードに設定されているのか、或いは動画の撮影モードに設定されているのかを判断させ、設定されているモードに応じて記憶済みの静止画あるいは動画を表示させているので、静止画撮影の時に動画が表示されたり、動画撮影の際に静止画が表示されたりするといった不自然な状態にならないようにしているものである。
【００６５】
しかして、ステップＳ２６で、再生開始／停止釦Ｂ３の操作でないことが判断されるとステップＳ３３に進み、再生画像切換釦Ｂ４の操作であったか否かが判断される。再生画像切換釦Ｂ４の操作であった場合にはステップＳ３４に進み、撮影種識別値Ｄの値が「０」か否かが判断される。撮影種識別値Ｄの値が「０」の場合にはステップＳ３５に進み、記憶媒体１５に記憶されている撮影済みの静止画像のファイル及び動画像のファイルのうち、静止画像のファイルで且つ既にファイル名記憶領域５４に記憶されているファイル名のファイルの前に撮影記録されたファイルのファイル名をファイル名記憶領域５４に設定記憶させる。
【００６６】
また、撮影種識別値Ｄの値が「１」の場合にはステップＳ３４からステップＳ３６に進み、記憶媒体１５に記憶されている撮影済みの静止画像のファイル及び動画像のファイルのうち、動画像のファイルで且つ既にファイル名記憶領域５４に記憶されているファイル名のファイルの前に撮影記録されたファイルのファイル名をファイル名記憶領域５４に設定記憶させる。
【００６７】
これによって、スルー表示画面中に合成表示される撮影済みの画像は、再生画像切換釦Ｂ４が操作される毎に順次別のファイルの画像に切り替わっていくものであり、これによってこれから撮影しようとするシーンに最も参考となる過去の記憶済みの画像を再生表示させて見つけ出すことが出来る。
【００６８】
この場合、ステップＳ３４において撮影モードが静止画の撮影モードに設定されているのか、或いは動画の撮影モードに設定されているのかを判断させ、設定されているモードに応じて記憶済みの静止画あるいは動画を表示させているので、静止画と動画のファイルが混在して記憶媒体１５に記憶されていたとしても、静止画撮影の時に動画が再生表示されてしまうといったことを防止でき、迅速に希望する記憶済みの画像を再生表示させることが出来る。
【００６９】
ステップＳ３３で、再生画像切換釦Ｂ４の操作でないことが検出された場合には、図６のステップＳ３７に進み、消去釦Ｂ５の操作か否かが判断される。消去釦Ｂ５の操作の場合にはステップＳ３８に進み、再生識別値Ｇが「１」か否かが判断される。再生識別値Ｇが「１」に設定されている場合は、スルー表示画面中に既に記憶済みの画像が合成表示されていると言うことであり、この場合にはステップＳ３９に進み、合成表示されている記憶済みの画像を記憶媒体１５から消去する。
【００７０】
具体的には、スルー表示画面に合成表示されている記憶済みの画像のファイル名がファイル名記憶領域５４に記憶されているので、このファイル名記憶領域５４に記憶されているファイル名と同じファイル名のファイルを記憶媒体１５から削除するものである。これによって、再生表示によって不要だと判断したファイルは撮影モードであっても消去釦Ｂ５の操作で簡単に削除できる。
【００７１】
ステップＳ３７で、消去釦Ｂ５の操作でないことが判断された場合には、ステップＳ４０に進み、その他、モードの変更や撮影条件の設定などの釦操作なので、操作された釦に応じた処理を行って本フローを終了する。
【００７２】
尚、本発明は上記実施の形態の限定されず種々の変形応用が可能であり、例えば、図５のステップＳ１６及びステップＳ２１においては、静止画の撮影記憶及び動画の撮影記憶を行うが、このときの撮影条件は、スルー表示画面に合成表示されている記憶済みの画像のファイルと同じ撮影条件としてもよい。即ち、スルー表示画面に合成表示されている記憶済みの画像のファイル名がファイル名記憶領域５４に記憶されているので、このファイルの撮影条件を図３に示したヘッダ部６０の撮影条件記憶部６０Ｃから読み出し、この条件で新たな撮影記憶を行わせてもよいものである。
【００７３】
また、再生画像切換釦Ｂ４の操作によって静止画像或いは動画像を直近のものから順次再生表示させるようにしたが、例えば、撮影した画像を人物、風景、夜景といったシーン毎に区別して記憶媒体１５に記憶させておき、再生表示させる際にシーンを選択して、その中から順次再生表示させるようにしてもよい。
【００７４】
更に、静止画及び動画の判別はファイル名の先頭に識別記号を付してこれにより判別するようにしたが、例えば、静止画ファイルは拡張子を「ＪＰＧ」、動画ファイルは拡張子を「ＭＯＶ」或いは「ＡＶＩ」とし、拡張子によって判別するなど他の方法で行わせてもよいものである。
【００７５】
更にまた、本発明はデジタルカメラに限定されず、携帯電話、ＰＤＡ（パーソナル・デジタル・アシスタンツ）、ＨＴ（ハンデイーターミナル）等であっても、撮像素子と表示装置とを備えている電子機器であればあらゆる電子機器に適用できるものである。
【図面の簡単な説明】
【００７６】
【図１】本発明によるデジタルカメラの回路構成図。
【図２】図１の制御部１のＲＡＭ５０の記憶領域を示した図。
【図３】記憶媒体１５に記憶されるファイルの構成を示した図。
【図４】本発明の動作を示すフローチャート。
【図５】図４の釦入力処理の詳細なフローチャート。
【図６】同じく図４の釦入力処理の詳細なフローチャート。
【図７】図１の表示装置２３の表示領域を示す図。
【符号の説明】
【００７７】
１  制御部
３  ＣＣＤ
８  ＤＭＡ転送回路
１０  記憶部
１５  記憶媒体
２３  表示装置
２８  表示制御回路
４２  入力部
４３  時計回路
【図１】
2006270167.tif 000003
【図２】
2006270167.tif 000004
【図３】
2006270167.tif 000005
【図４】
2006270167.tif 000006
【図５】
2006270167.tif 000007
【図６】
2006270167.tif 000008
【図７】
2006270167.tif 000009